(57)【特許請求の範囲】
【請求項１】
コンクリート構造物をあらかじめ複数のブロックに分割し、この分割したブロックを被固定部となる構造部に順次結合させるとともに仮固定し、仮固定したブロックにポストテンション用の緊張材を通し、これに緊張力を導入してブロックを一体的に定着固定させるプレストレストプレキャストコンクリート構造物を建造するＰＣプレキャストブロック工法において、
前記被固定部となる構造部と、各ブロックにあらかじめ仮固定用のケーブルを挿通するシースを設けておくとともに、被固定部となる構造部におけるシース入口側には、仮固定用のケーブルを一時的にクランプする仮定着具と、仮固定用のケーブルを巻装したケーブルドラムとを設置し、
前記被固定部の構造部側方に、最初のブロックを吊り込むとともに、前記ケーブルドラムからケーブルを引き出し、被固定部となる構造部側の前記仮定着具と、前記吊り込んだブロックのシースを介してケーブルの先端部をブロックの前端部に引き出す第１工程と、
前記ブロックの前端部に引き出したケーブルの先端部にジャッキを連結し、このジャッキによってケーブルに前記仮定着具を反力点として緊張力を導入し、ブロックを前記被固定部の構造部側に引き寄せ仮固定させる第２工程と、
その状態で、前記被固定部の構造部とブロックとの間にポストテンションを導入して双方を一体的に本定着させる第３工程と、
前記構造部側の仮定着具からケーブルを解放するとともに、ジャッキをケーブルの先端部から取り外し、次位のブロックを前記本定着させたブロックの側方に吊り込み、その吊り込んだブロックのシースに前記ジャッキから取り外したケーブルの先端部を挿入して前端部に引き出し、引き出したケーブルの先端部にジャッキを再連結して緊張し、次位ブロックを仮固定する第４工程と、
以下、前記第２工程から第４工程を順次繰り返し、ブロックをケーブルを介して一体的に仮固定させることを特徴とするノン・カップラーによるＰＣプレキャストブロック工法におけるブロックの仮固定方法。
【請求項２】
前記被固定部となる構造部と、各ブロックに設ける仮固定用のケーブルを挿通するシースは、それぞれ複数位置に設けるとともに、これに対応する前記ケーブルの仮定着具およびジャッキもそれぞれ複数基を用いることを特徴とする請求項１記載のノン・カップラーによるＰＣプレキャストブロック工法におけるブロックの仮固定方法。
【発明の詳細な説明】
【０００１】
【発明の属する技術分野】
この発明は、ＰＣプレキャストブロック工法による構造物の建設工事におけるブロックの仮固定方法に関するものである。さらに詳しく言えば、構造物本体をあらかじめ複数のブロックに分割し、この分割したブロックを工場または現場サイトに設けたブロック製作ヤードで製作し、つまりプレキャストし、ついでこのプレキャストしたブロックを建設現場に搬入して組み立てるとともに、各ブロックにあらかじめ埋設したシースを介して緊張材（ＰＣ鋼より線）を挿通し、これに緊張力を導入して各ブロックを一体的に結合定着させて所望の構造物を組み立て建設する、いわゆるポストテンション方式によるプレストレストコンクリートプレキャストブロック工法（以下、ＰＣプレキャストブロック工法と呼ぶ）による構造物の建設工事において、前記各ブロックを本定着させる前に、ブロック同志を一時的に結合固定させるブロックの仮固定方法に関するものである。例えば、ＰＣプレキャストブロック工法によってＰＣ橋を架設する場合におけるブロックの仮固定方法に関するものである。
【０００２】
【従来の技術】
図７は、ＰＣプレキャストブロック工法によって構築したＰＣ橋の構造を示すものである。図示において５４は、各ブロックにポストテンションを導入し、各ブロックを一体的に結合定着した緊張材である。従来、この工法によってＰＣ橋を建設する場合は、あらかじめ橋脚５０の柱頭部５１を基準として橋桁を図示のように複数のブロックＡ１  ，Ａ２  ，…Ａｎ  に分割し、この分割したブロックＡ１  ，Ａ２  ，…Ａｎ  を工場または建設現場サイトに設けたブロック製作ヤードで製作する。そして、このブロックＡ１  ，Ａ２  ，…Ａｎ  を現場に搬入する。
【０００３】
他方、図８で示すように橋脚５０の柱頭部５１上には、通称エレクションノーズ５２と呼ばれる水平移動自在な揚重機（ウインチ５２ａ）を搭載配備し、このエレクションノーズ５２によって前記現場に搬入した、まず最初のブロックＡ１  を前記柱頭部５１における左右の張り出し横桁部５１ａおよび５１ａに吊り込む。
【０００４】
ついで、吊り込んだブロックＡ１  と横桁部５１ａとの接合面に接着剤等を塗布して双方を接合させる。その状態で横桁部５１ａとブロックＡ１  とを仮固定部材５３を用いて仮固定させる。
【０００５】
仮固定が終了すると、柱頭部５１と仮固定させたブロックＡ１  との間にポストンテンションを導入するための緊張材５４（ＰＣ鋼より線）を挿通し、これに緊張力を導入し、そのブロックＡ１  をまず柱頭部５１に本定着させ、以下、前記ブロックＡ１  ，Ａ２  ，…Ａｎ  の吊り込みと、仮固定と、本定着の作業を順を繰り返して前記図７で示したような各ブロックを一体的に結合定着し、ＰＣ橋として建設するようにしている。
【０００６】
ちなみに図９は、５個のブロックＡ１  …Ａ５  を本定着し、６個目のブロックＡ６  を吊り込み仮固定する工程を示す。なお、ブロックＡ１  ，Ａ２  ，…Ａｎ  の吊り込み、仮固定，本定着による一連の施工手順は、前記図８で示すように橋脚５０の両側双方に、順に吊り込み張り出して仮固定するとともに、本定着して対称的に施工する場合もあり、あるいは左右交互に、すなわち非対称的な手順によって施工する場合もある。また、ポストテンションを導入するための、いわゆる本定着させるための緊張材５４（ＰＣ鋼より線）およびそれを挿通するシース５５の配置は、橋桁断面の形状やブロックの分割位置等を考慮し、製作段階において配設している。
【０００７】
図１０は、前記ブロックＡ１  ，Ａ２  ，…Ａｎ  の断面構造図を示すものである。断面中に示す多数の孔は、本定着用のポストテンションを導入するための緊張材５４を挿通するいわゆるシース５５の配置例を示すものである。これらは当然のことであるが前記したように橋桁断面の形状等によって配置し、ブロック自体の製造段階において配管埋設させている。
【０００８】
以上説明したように、このＰＣプレキャストブロック工法は、前記ＰＣ橋に例をとって説明したことから理解されるように、
（１）ブロックを工場または現場サイトで製作するため、管理が十分に行きわたり、精度の高い部材断面のブロックの製作ができる。
（２）ブロックの製作と併行して付随工事の展開ができる。
（３）各ブロックを一体化させるケーブルのシースは、あらかじめブロックの製作工程において配置するので、その製作はきわめて容易である。
ことなどのメリットにより、在来工法により建設した橋梁構造物に比較し、製造品質はもとより、施工性、工期短縮、意匠的な斬新性に優れ、橋梁等の建築構造物として評価されている。
【０００９】
【発明が解決しようとする課題】
しかしながら、この工法において、分割したブロックを本定着させる前に、ブロックを順に仮固定する必要がある。その手段として、従来は先に説明したように仮固定部材５３等を用いて連結し仮固定している。例えば、図８を参考にしてその点を具体的に説明すると、あらかじめ柱頭部５１内に複数の突起部５６，５６を設けておく。同様に連結すべきブロックＡ１  （以下、すべてのブロック）の内部にも、前記突起部５６，５６に対応する突起部５７，５７を設けておく。そして、この左右双方の突起部５６，５６および突起部５７，５７間に、例えばタイロッドバー状の継手部材（ＰＣ鋼材）５８を通し、この継手部材５８を介して双方を連結し、仮固定させるようにしている。
【００１０】
その他、柱頭部５１をはじめ各ブロックＡ１  ，Ａ２  ，…Ａｎ  にあらかじめ切欠部を設けて、この切欠部を利用して継手部材を取り付け、連結し、仮固定させるとか、さらにはブロックＡ１  ，Ａ２  ，…Ａｎ  自体に連結金具をあらかじめ埋設しておき、これを利用して連結し、仮固定するようにしている。
【００１１】
そのため、その仮固定の作業に人手はもちろん手間がかかりすぎ、しかも煩雑である。特に１個のブロックを仮固定し、本定着が終了するごとに、つまりポストテンションの導入作業が終了するごとに、それら仮固定部材５３は取り外し、それを次の仮固定部材５３として移設利用するようにしている。その結果、その仮固定部材５３による仮固定作業に大変な手間と労力が必要とされていた。
【００１２】
また、従来の仮固定方式では、柱頭部５１やブロックＡ１  ，Ａ２  ，…Ａｎ  に突起部や切欠部を設けたり、継手部材を埋め込んだりしているため、当該部を含む構造物自体の強度的信頼性にさらなる配慮が要求されるといった問題点があった。この発明は、このような組立て作業上の問題や構造的な強度や安全性、施工性を改善する視点から、これまで仮固定用の連結手段として用いられている部材５３をなくし、いわゆるノン・カップラー方式による仮固定工法を提供することを目的とし開発を行ったものである。
【００１３】
【課題を解決する手段】
そこで、前記目的を達成するため、どのような手段を講じたかと言えば、所望のコンクリート構造物をあらかじめ複数のブロックに分割し、この分割したブロックを被固定部となる構造部に順次結合させるとともに仮固定し、仮固定したブロックをポストテンション用のケーブルを介して一体的に定着固定し、いわゆるポストテンション方式によってプレストレストプレキャストコンクリート構造の構造物を建造するＰＣプレキャストブロック工法において、
（１）まず、前記被固定部となる構造部と、各ブロックにそれぞれ仮固定用のケーブルを挿通するシースをあらかじめ設けておくとともに、被固定部となる構造部におけるシース入口側には、仮固定用のケーブル（本定着用に用いる緊張材と同様なもの）を一時的にクランプする仮定着具と、仮固定用のケーブルを巻装したケーブルドラムを設置した。
そして、まず被固定部の構造部側方に、最初のブロックを吊り込むとともに前記ケーブルドラムからケーブルを引き出し、被固定部となる構造部側の前記仮定着具と、前記ブロックのシースを介してケーブルの端末、つまり先端部をブロックの前端部側に引き出す（第１工程）。
（２）ついで、ブロックの前端部に引き出したケーブルの先端部にジャッキを連結し、このジャッキによってケーブルに前記仮定着具を反力点として緊張力を導入し、ブロックを前記被固定部の構造部側に引き寄せ、ケーブルによって仮固定させる（第２工程）。
（３）その状態で前記被固定部の構造部とブロックとの間に、緊張材を挿入してポストテンションを導入し、双方を一体的に本定着させ固定する（第３工程）。
（４）前記ポストテンションの導入による本定着が終了すると構造部側の仮定着具から前記ケーブルを解放するとともに、ジャッキをケーブルの先端部から取り外し、次位のブロックを前記本定着させたブロックの側方に吊り込み、その吊り込んだブロックのシースに、前記ジャッキから取り外したケーブルの先端部を挿入して前端部に引き出し、その引き出したケーブルの先端部にジャッキを再連結させ、ケーブルに緊張力を導入して、その次位のブロックを仮固定させる（第４工程）。
（５）以下、前記引き出したケーブルの先端部にジャッキを再連結しブロックを仮固定させる第２工程から第４工程を順次繰り返し、ブロック自体の仮固定を前記仮固定用のケーブルを利用して行うようにしたことにある。
【００１４】
なお、前記被固定部となる構造部と、各ブロックに設ける仮固定用のケーブルを挿通するシースは、それぞれ複数位置に設けるとともに、これに対応して、前記ケーブルの仮定着具およびジャッキもそれぞれ複数基を用いるようにしたことにある。
【００１５】
【発明の実施の形態】
さらに、この発明の実施形態をＰＣ橋に適用した場合に基づいて具体的に説明する。まず、図１は、ＰＣプレキャストブロック工法に基づくＰＣ橋において、あらかじめ分割した橋桁の最初のブロックＡ１  およびＡ１  をエレクションノーズ５２を用いて橋脚５０の柱頭部５１の左右側方に吊り込み仮固定する最初の工程を示すものである。つまりブロックＡ１  およびＡ１  の被固定部となる構造部に相当する柱頭部５１の左右に張り出す横桁部５１ａおよび５１ａの側方への吊り込む最初の作業工程を示すものである。
【００１６】
なお、ブロックＡ１  およびＡ１  の吊り込み作業を行う前に、あらかじめ柱頭部５１を形成する左右の横桁部５１ａおよび５１ａの上下ウエブには、それぞれ横桁部５１ａおよび５１ａ内の隅部から端面に向け、すなわち右側隅部から左側の端面へ、左側隅部から右側の端面に通じる仮固定用のケーブル１を挿通させるシース２および２をそれぞれ配設しておく。
【００１７】
また、ケーブル１の挿入口となる隅部には、それぞれ前記仮固定用のケーブル１を一時的にクランプし、アンカーヘッドとしての機能を持った仮定着具３および３をそれぞれ設置した。さらに左右の横桁部５１ａおよび５１ａの内部には、前記仮固定用のケーブル１を巻装したケーブルドラム４および４を配置した。
【００１８】
図２は、前記図１のＢ部の拡大詳細図で、前記横桁部５１ａの隅部に設置し、仮固定用のケーブル１のアンカーヘッドとして機能する仮定着具３の取付け詳細図である。３ａは、仮定着具３の取付け支圧板である。
【００１９】
図３は、エレクションノーズ５２によりブロックＡ１  およびＡ１  を吊り込んだのち、すなわち図１の状態からそのブロックＡ１  ，Ａ１  を横桁部５１ａおよび５１ａの側面に仮固定した工程を示す。つまり横桁部５１ａおよび５１ａ内に設置したケーブルドラム４および４から、それぞれ仮固定用のケーブル１の端末（先端部）を隅部に設けた仮定着具３および３、ついでブロックＡ１  およびＡ１  のシース２および２（図１参照）を介して左右の端面側に引き出し、図３で示すようにその端末に仮定着具３ｂおよび３ｂ（緊張側）を介してジャッキ５および５を連結し、このジャッキ５および５を作動し、ケーブル１にそれぞれ前記仮定着具３および３を反力点として緊張力を導入し、ブロックＡ１  およびＡ１  をそれぞれ柱頭部５１側に引き寄せ、仮固定させた工程を示すものである。
【００２０】
図４は、先に図１０で示したブロックＡ１  ，Ａ２  ，…Ａｎ  の断面構造図と同一であるが、ここに示すブロックＡ１  の異なる点は、先に説明したように仮固定用のケーブル１を用いて固定させる関係上、その仮固定用のケーブル１を挿通する専用のシース２をあらかじめ各ブロックＡ１  ，Ａ２  ，…Ａｎ  の四隅近くに製作段階で配設していることである。具体的には、図示のように四隅近くに合計４本のシース２を配設している。
【００２１】
前記図３で説明したように、まず最初のブロックＡ１  およびＡ１  の柱頭部５１側に対する仮固定作業が終了すると、従来の通り、双方間に本定着用のケーブル、つまり緊張材（ＰＣ鋼より線）を挿入セットし、ポストテンションを導入して、そのブロックＡ１  およびＡ１  を柱頭部５１側に本定着させる（図９参照）。そして、このブロックＡ１  およびＡ１  の本定着作業が終了した時点で、ジャッキ５および５によりケーブル１を仮固定していた仮定着具３，３ｂおよび３，３ｂを開放する。
【００２２】
次に前記仮固定用のケーブル１からのジャッキ５の取り外しと、仮定着具３および３からのケーブル１の開放が終ると、次位のブロックＡ２  およびＡ２  を図１で説明したようにエレクションノーズ５２を利用して吊り込む。その作業が終わると、前記吊り込んだブロックＡ２  およびＡ２  のそれぞれのシース２および２に前記ジャッキ５から取り外したケーブル１の端末、つまり先端部を挿入したのち、その先端部に再度仮定着具３ｂおよび３ｂを取付け、ジャッキ５および５を連結する。ついで、図３で説明した要領でケーブル１を緊張し、ブロックＡ２  をＡ１  の外側に仮固定させたのち、その状態で本定着作業を行う。
【００２３】
以下、前記ブロックの吊り込みと、仮固定と、本定着との作業を順に繰り返すことにより、あらかじめ分割しておいた各ブロックＡ１  ，Ａ２  ，…Ａｎ  を一体的に結合し、所望のＰＣ橋構造体を構築した。
【００２４】
ちなみに、図５は、ブロックＡ１  以下ブロックＡ３  を本定着するとともに、仮固定用のケーブル１の開放と、ジャッキ５の取り外しを行い、つぎのブロックＡ４  を吊り込む工程を示す。
【００２５】
さらに図６は、前記図５の工程に引き続き、ブロックＡ４  およびＡ４  に、前記仮固定用ケーブル１を通し、ジャッキ５を作動してブロックＡ４  およびＡ４  を仮固定させた工程を示すものである。
【００２６】
【実施例】
本発明によるブロックの仮固定方法は、以上説明した手順によって仮固定することを特徴とするもので、従来のように、あらかじめブロック等に仮固定手段としての継手部材（カップリング）等を組み付けるような手段方法を採用していない点にある。つまりノン・カップラー方式により仮固定させるようにしたことにある。
【００２７】
なお、実施例においては、図１および図３以下に示すように、仮固定用のケーブル１は、左右２基づつのケーブルドラム４を設置し、合計４本のケーブル１を用いて仮固定させるようにした。そのため、このケーブル１を仮固定する仮定着具３は、図示のように柱頭部５１を形成する横桁部５１ａおよび５１ａと左右ブロックＡ１  およびＡ１  の内部上下四隅に設けた。
【００２８】
そして右側に設置したケーブルドラム４および４からのケーブル１は、それぞれ左側の横桁部５１ａの上下ウエブを介してブロックＡ１  ，Ａ２  ，…Ａｎ  側へ誘導し、逆に左側に設置したケーブルドラム４および４からのケーブル１は、それぞれ右側の横桁部５１ａの上下ウエブを介してブロックＡ１  ，Ａ２  ，…Ａｎ  へ誘導するよう構成した。
【００２９】
その結果、この実施例においては、ブロックＡ１  ，Ａ２  ，…Ａｎ  の仮固定、本定着は、橋脚５０の柱頭部５１を出発点として左右に対称的に施工するようになっている。つまり、対称的にブロックを組み付け施工するようにしている。しかし、これに限定されるものではない。片持ち形式に組み付け施工することも、もちろん可能であり、かつ非対称的に施工することも可能である。
【００３０】
さらにケーブル１を一時的にクランプし、仮固定する仮定着具３、すなわち図２で示した仮定着具３としては、挿通したケーブル１に緊張力をかけると自動的にそのケーブル１をクランプし、逆に緊張力を緩めると、クランプが自動的に開放されるクサビ機構を備えた仮定着具３を用いた。また仮固定用のケーブル１としては、本定着用とケーブルと同様ＰＣ鋼より線を用いるとともに、ケーブル１に緊張力を導入するジャッキ５としては、センターホール型のジャッキを使用した。
【００３１】
【発明の効果】
この発明によるブロックの仮固定方法は、以上実施例を通して説明したように、従来の仮固定手段にみられるように、ブラケットや切欠きを利用したＰＣ鋼材による仮固定方式でなく、ケーブルを用いたノン・カップラー方式による連結仮固定方式としたので、従来のブロック工法に比較し、ブロックの組立作業が手際よく、しかもより効果的に展開できる。特に各ブロックに仮固定手段としての切欠部や埋設金具を設ける必要がないため本来的にＰＣプレキャストブロックが持つ優位性をさらにレベルアップさせ、構造的な強度不安を解消することができる。しかも仮固定の主要な役割を分担する部材としてＰＣ鋼より線からなるケーブルを用い、これを各ブロックにあらかじめ設置したシースを介して誘導し、緊張力を導入するようにしたので、そのケーブルの配設および取り扱いが容易で、ＰＣ橋にみられるように橋桁断面形状が変化する、つまり下面を湾曲するアーチに形成した橋梁の場合、その下面湾曲線に沿ってケーブルを誘導させることができ、仮固定方法として無理なく適用できる従来技術にはみられない効果を発揮することがてきる。
さらに仮固定作業の終了後は、そのケーブル自体に緊張力を導入することにより、橋梁自体にポストテンションを加えて、ＰＣ橋としての部材要素として残すことも可能である。
【図面の簡単な説明】
【図１】橋脚柱頭部の左右両側にあらかじめ分割した主桁のブロックを吊り込む工程図である。
【図２】図１のＢ部の拡大詳細図で、仮定着具の取付け部を示す。
【図３】ブロックを柱頭部の側面に仮固定させる工程図である。
【図４】ブロックの断面構造図である。
【図５】ブロックＡ１  ……Ａ３  の本定着作業が終了し、仮定着具に対するケーブルの開放と、ジャッキとを取り外し、次のブロックＡ４  を吊り込む工程図である。
【図６】ブロックＡ１  ……Ａ４  を仮固定させた工程図である。
【図７】ＰＣプレキャストブロック工法によるＰＣ橋の構造図である。
【図８】分割したブロックを橋脚の柱頭部両側に仮固定させる工程図である。
【図９】分割したブロックＡ１  ……Ａ５  を本定着し、６個目のブロックＡ６  を吊り込み仮固定する工程図を示す。
【図１０】従来のブロックの断面構造図である。
【符号の説明】
Ａ１  ，Ａ２  ，…Ａｎ  …ブロック（橋桁）
５０…橋脚（ピア）
５１…柱頭部
５１ａ…横桁部
５２…エレクションノーズ
５２ａ…揚重機（ウインチ）
５３…仮固定部材
５４…緊張材
５５…シース
５６，５７…突起部
５８…タイロッドバー
１…ケーブル（仮固定用）
２…シース
３…仮定着具
３ａ…支圧板
３ｂ…仮定着具（緊張側）
４…ケーブルドラム
５…ジャッキ（センターホール型）
【図１】
0003608751.tif 000002
【図２】
0003608751.tif 000003
【図３】
0003608751.tif 000004
【図４】
0003608751.tif 000005
【図５】
0003608751.tif 000006
【図６】
0003608751.tif 000007
【図７】
0003608751.tif 000008
【図８】
0003608751.tif 000009
【図９】
0003608751.tif 000010
【図１０】
0003608751.tif 000011